(57)【要約】【課題】ナビゲーション装置のように、記憶媒体に記憶された該当データ及び情報データを更新するにあたり、更新に用いる更新用ファイルの容量をできるだけ小さくできるデータ管理システム及びデータ更新方法を実現する。【解決手段】情報データに、カテゴリを絞り込むための検索キーを含め、更新対象の情報データを更新するための更新用情報データを有する更新用ファイルの入力を受け付け、情報データフレームから更新対象の情報データを抽出すると共に、当該抽出した情報データを更新用ファイルが有する更新用情報データにより更新し、該当データフレームから更新対象の情報データが有する検索キーにより絞り込まれるカテゴリに属する該当データを抽出すると共に、当該抽出した該当データを更新用ファイルが有する更新用情報データにより更新する。【選択図】図４
2008059045.tif 000002
【特許請求の範囲】
【請求項１】
複数の情報データを情報データフレームに記憶すると共に、当該情報データを特定するための該当データを検索キーにより絞り込まれるカテゴリ毎に該当データフレームに記憶した記憶媒体を備え、
前記記憶媒体に対して、所望のデータの読み書きを行って、前記記憶媒体に記憶されるデータを更新する更新手段を備えたデータ管理システムであって、
前記情報データが、前記カテゴリを絞り込むための検索キーを含み、
更新対象の情報データを更新するための更新用情報データを有する更新用ファイルの入力を受け付ける更新用ファイル入力手段を備え、
前記更新手段として、前記情報データフレームから前記更新対象の情報データを抽出すると共に、当該抽出した情報データを前記更新用ファイルが有する更新用情報データにより更新する情報データ更新手段と、前記該当データフレームから前記更新対象の情報データが有する検索キーにより絞り込まれるカテゴリに属する該当データを抽出すると共に、当該抽出した該当データを前記更新用ファイルが有する更新用情報データにより更新する該当データ更新手段とを備えたデータ管理システム。
【請求項２】
前記更新用ファイル入力手段が、前記更新用ファイルを通信回線を介して受信可能に構成されている請求項１に記載のデータ管理システム。
【請求項３】
前記カテゴリが階層構造を有する請求項１又は２に記載のデータ管理システム。
【請求項４】
前記記憶媒体に前記情報データとして地点情報に関するデータを記憶したナビゲーション装置として構成されている請求項１〜３の何れか一項に記載のデータ管理システム。
【請求項５】
前記検索キーが、前記地点の名称の読み、前記地点の電話番号、前記地点の住所から選択される少なくとも一つである請求項４に記載のデータ管理システム。
【請求項６】
複数の情報データを情報データフレームに記憶すると共に、当該情報データを特定するための該当データを検索キーにより絞り込まれるカテゴリ毎に該当データフレームに記憶した記憶媒体に対して、所望のデータの読み書きを行って、前記記憶媒体に記憶されるデータを更新するデータ更新方法であって、
前記情報データに、前記カテゴリを絞り込むための検索キーを含め、
更新対象の情報データを更新するための更新用情報データを有する更新用ファイルの入力を受け付ける更新用ファイル入力ステップと、
前記情報データフレームから前記更新対象の情報データを抽出すると共に、当該抽出した情報データを前記更新用ファイルが有する更新用情報データにより更新する情報データ更新ステップと、
前記該当データフレームから前記更新対象の情報データが有する検索キーにより絞り込まれるカテゴリに属する該当データを抽出すると共に、当該抽出した該当データを前記更新用ファイルが有する更新用情報データにより更新する該当データ更新ステップとを実行するデータ更新方法。
【発明の詳細な説明】
【技術分野】
【０００１】
本発明は、複数の情報データを情報データフレームに記憶すると共に、当該情報データを特定するための該当データを検索キーにより絞り込まれるカテゴリ毎に該当データフレームに記憶した記憶媒体を備え、
前記記憶媒体に対して、所望のデータの読み書きを行って、前記記憶媒体に記憶されるデータを更新する更新手段を備えたデータ管理システム、及び、前記記憶媒体に対して、所望のデータの読み書きを行って、前記記憶媒体に記憶されるデータを更新するデータ更新方法に関する。
【背景技術】
【０００２】
地図に関する地図データを記憶した記憶媒体を備え、その記憶媒体から読み出した地図データを、適宜ＧＰＳ受信機などにより検出した自車位置と合わせてモニタに表示して、目的地までの最適進路案内等を行うナビゲーション装置としては、記憶媒体として大容量のハードディスクを内蔵したものが近年実用化されている。
かかるハードディスクを記憶媒体として備えたナビゲーション装置は、ＤＶＤやＣＤ−ＲＯＭのようなディスク交換ではなく、例えば小容量のメディアや携帯電話などの所定の通信ネットワークを介して更新用ファイルの入力を受け付け、その更新用ファイルを用いて、記憶媒体に対して、所望のデータの読み書きを行って、前記記憶媒体に記憶されるデータを更新するように構成されている。
【０００３】
そして、このようなナビゲーション装置において、記憶媒体に記憶されるデータを更新する場合には、当該記憶媒体において複数のフィールドからなるレコード単位で多数のデータが記憶されていることから、上記記憶媒体に記憶されたデータ全体を更新するのではなく、上記レコード単位でデータを更新する所謂差分更新を行う場合がある（例えば、特許文献１を参照。）。
【０００４】
即ち、上記差分更新においては、１バイトでも更新する必要があるレコードを更新対象として、新たなレコード全体のデータを有する更新用ファイルを生成し、ナビゲーション装置が、その更新用ファイルの入力を受け付け、記憶媒体に記憶されている更新対象のレコード全体を、その更新用ファイルが有するレコード全体のデータで書き替える形態で、記憶媒体に記憶されるデータを更新する。よって、上記更新用ファイルは、更新の必要がないレコードを含まないので容量が小さいものとなり、その更新用ファイルの入力のための通信量やメモリ容量や更新時間が削減される。
【０００５】
また、ナビゲーション装置として、上述した最適進路案内とは別に、記憶媒体に、地点情報に関する情報データを記憶し、その記憶媒体から検索した情報データをモニタに表示して、地点情報の検索案内を行うように構成されたものが知られている（例えば、特許文献２及び非特許文献１を参照。）。即ち、地点情報の検索案内を行うナビゲーション装置では、上記記憶媒体において、複数の情報データが、情報データフレームに記憶されていると共に、当該情報データを特定するための該当データが、検索キーにより絞り込まれるカテゴリ毎に該当データフレームに記憶されている。そして、地点の名称の読み、地点の電話番号、地点の住所等の検索キーの入力により、その入力された検索キーにより絞り込まれたカテゴリに属する該当データが、前記該当データフレームから逐次抽出され、当該抽出された該当データに含まれている地点の名称等がモニタに表示される。更に、その表示された該当データから一の該当データが選択されることにより、その選択された該当データに含まれている情報データのアドレスを参照して、当該該当データが特定する情報データが前記情報データフレームから逐次抽出され、当該抽出された情報データに含まれている地点の詳細情報等がモニタに表示される。
【０００６】
そして、このように地点情報の検索案内を行うナビゲーション装置において、上記該当データや上記情報データを更新する場合においても、上述したような差分更新を行う場合がある。
即ち、上記差分更新により該当データや情報データを更新するナビゲーション装置は、図７及び図８に示すように、先ず、記憶媒体に記憶させるべき最新の更新用該当データを記憶した該当データフレーム全体、及び、記憶媒体に記憶させるべき最新の更新用情報データを記憶した情報データフレーム全体の両方を含む更新用ファイルの入力を受け付ける（ステップ＃１１）。次に、図８の矢印Ａ’に示すように、記憶媒体の情報データフレームから更新対象の情報データを抽出する（ステップ＃１２）と共に、図８の矢印ａ’に示すように、当該抽出した情報データを上記更新用ファイルが有する更新用情報データにより更新する（ステップ＃１３）。また、同様に、図８の矢印Ｂ’に示すように、記憶媒体の該当データフレームから更新対象の該当データを抽出する（ステップ＃１４）と共に、図８の矢印ｂ’に示すように、当該抽出した該当データを上記更新用ファイルが有する更新用該当データにより更新する（ステップ＃１５）。
【０００７】
【特許文献１】特開２００４−２８７７０５号公報
【特許文献２】特開２００５−２５６７２号公報
【非特許文献１】ＪＩＳ規格  Ｄ  ０８１０
【発明の開示】
【発明が解決しようとする課題】
【０００８】
上述したような地点情報の検索案内を行うナビゲーション装置においては、高性能化に伴って非常に多くの該当データや情報データを記憶媒体に記憶するようになっており、更には、地点情報の頻繁な変化により、その多くのデータを頻繁に更新する必要がある。
よって、新たな該当データと情報データの両方を有する更新用ファイルの容量が大きくなり、更新用ファイルの入力のための通信量やメモリ容量、更には更新時間が甚大なものとなるという問題があり、かかる更新用ファイルの容量の更なる削減が望まれている。
【０００９】
本発明は、上記の課題に鑑みてなされたものであり、その目的は、複数の情報データを情報データフレームに記憶すると共に、当該情報データを特定するための該当データを検索キーにより絞り込まれるカテゴリ毎に該当データフレームに記憶した記憶媒体を備え、前記記憶媒体に対して、所望のデータの読み書きを行って、前記記憶媒体に記憶されるデータを更新する更新手段を備えたデータ管理システムにおいて、更新に用いる更新用ファイルの容量をできるだけ小さくできる技術を提供する点にある。
【課題を解決するための手段】
【００１０】
上記目的を達成するための本発明に係るデータ管理システムは、複数の情報データを情報データフレームに記憶すると共に、当該情報データを特定するための該当データを検索キーにより絞り込まれるカテゴリ毎に該当データフレームに記憶した記憶媒体を備え、
前記記憶媒体に対して、所望のデータの読み書きを行って、前記記憶媒体に記憶されるデータを更新する更新手段を備えたデータ管理システムであって、その第１特徴構成は、前記情報データが、前記カテゴリを絞り込むための検索キーを含み、
更新対象の情報データを更新するための更新用情報データを有する更新用ファイルの入力を受け付ける更新用ファイル入力手段を備え、
前記更新手段として、前記情報データフレームから前記更新対象の情報データを抽出すると共に、当該抽出した情報データを前記更新用ファイルが有する更新用情報データにより更新する情報データ更新手段と、前記該当データフレームから前記更新対象の情報データが有する検索キーにより絞り込まれるカテゴリに属する該当データを抽出すると共に、当該抽出した該当データを前記更新用ファイルが有する更新用情報データにより更新する該当データ更新手段とを備えた点にある。
【００１１】
上記第１特徴構成によれば、記憶媒体の情報データフレームに記憶されている更新対象の情報データを、上記更新用ファイルが有する更新用情報データで更新すると共に、記憶媒体の該当データフレームに記憶されている更新対象の該当データまでをも、上記情報データを更新するのに用いたものと同じ更新用情報データで更新することができる。よって、上記情報データと上記該当データの両方を更新する場合でも、上記更新用ファイルは、上記該当データを更新するためだけの該当データフレームを含まなくて済む分、容量を小さくすることができ、例えば、当該更新用ファイルの入力のための通信量やメモリ容量、更には更新時間を削減することができる。
【００１２】
即ち、上記該当データ更新手段においては、上記情報データ更新手段により更新した更新対象の情報データに含まれる検索キーを参照して、その参照した検索キーにより絞り込まれるカテゴリに属する該当データを、更新対象の該当データとして抽出することができる。よって、その抽出した更新対象の該当データを、その更新用情報データにおいて該当データに対応するデータにより更新することができる。
【００１３】
本発明に係るデータ管理システムの第２特徴構成は、上記第１特徴構成に加えて、前記更新用ファイル入力手段が、前記更新用ファイルを通信回線を介して受信可能に構成されている点にある。
【００１４】
上記第２特徴構成によれば、上記更新用ファイル入力手段において、情報データ及び該当データの更新に利用する更新用ファイルの入力を、例えば記憶媒体に記憶されている情報データの管理等を行うサーバから、通信回線を介して受信する形態で、簡単且つ頻繁に受け付けることができる。
【００１５】
本発明に係るデータ管理システムの第３特徴構成は、上記第１乃至上記第２の何れかの特徴構成に加えて、前記カテゴリが階層構造を有する点にある。
【００１６】
上記第３特徴構成によれば、上記カテゴリを階層構造を有するものとして構成した場合でも、上記該当データ更新手段において、更新対象の情報データに含まれる検索キーを用いて、簡単且つ迅速に更新対象の該当データが属するカテゴリを絞り込んで、当該更新対象の該当データを抽出することができる。
【００１７】
本発明に係るデータ管理システムの第４特徴構成は、上記第１乃至上記第３の何れかの特徴構成に加えて、前記記憶媒体に前記情報データとして地点情報に関するデータを記憶したナビゲーション装置として構成されている点にある。
【００１８】
上記第４特徴構成によれば、記憶媒体に情報データとして地点情報に関するデータを記憶し、その記憶媒体から検索した情報データをモニタに表示して、地点情報の検索案内を行うように構成されたナビゲーション装置として構成した場合でも、上述したように記憶媒体に記憶した情報データ及び該当データを、該当データを更新するためだけの該当データフレームを含まない分容量を小さくできる更新用ファイルを用いて更新することができる。
【００１９】
本発明に係るデータ管理システムの第５特徴構成は、上記第１乃至上記第４の何れかの特徴構成に加えて、前記検索キーが、前記地点の名称の読み、前記地点の電話番号、前記地点の住所から選択される少なくとも一つである点にある。
【００２０】
上記第５特徴構成によれば、地点の名称の読み、地点の電話番号、地点の住所の少なくとも一つの検索キーの入力により、その入力された検索キーにより絞り込まれたカテゴリに属する該当データ、及び、その該当データが特定する情報データを抽出する形態で、地点情報の検索案内を行う場合には、それら地点の読み、電話番号及び住所の少なくとも一つを用いて、更新対象の該当データを抽出することができる。
【００２１】
上記目的を達成するための本発明に係るデータ更新方法は、上述した本発明に係るデータ管理方法により実行可能なデータ更新方法、即ち、複数の情報データを情報データフレームに記憶すると共に、当該情報データを特定するための該当データを検索キーにより絞り込まれるカテゴリ毎に該当データフレームに記憶した記憶媒体に対して、所望のデータの読み書きを行って、前記記憶媒体に記憶されるデータを更新するデータ更新方法であって、その特徴構成は、前記情報データに、前記カテゴリを絞り込むための検索キーを含め、
更新対象の情報データを更新するための更新用情報データを有する更新用ファイルの入力を受け付ける更新用ファイル入力ステップと、
前記情報データフレームから前記更新対象の情報データを抽出すると共に、当該抽出した情報データを前記更新用ファイルが有する更新用情報データにより更新する情報データ更新ステップと、
前記該当データフレームから前記更新対象の情報データが有する検索キーにより絞り込まれるカテゴリに属する該当データを抽出すると共に、当該抽出した該当データを前記更新用ファイルが有する更新用情報データにより更新する該当データ更新ステップとを実行する点にある。
【００２２】
即ち、上記データ更新方法の特徴構成によれば、上記情報データ更新ステップにおいて、記憶媒体の情報データフレームに記憶されている更新対象の情報データを、上記更新用ファイルが有する更新用情報データで更新すると共に、上記該当データ更新ステップにおいて、記憶媒体の該当データフレームに記憶されている更新対象の該当データまでをも、上記情報データを更新するのに用いたものと同じ更新用情報データで更新することができる。よって、上記情報データと上記該当データの両方を更新する場合でも、上記更新用ファイルは、上記該当データを更新するためだけの該当データフレームを含まなくて済む分、容量を小さくすることができ、例えば、当該更新用ファイルの入力のための通信量やメモリ容量、更には更新時間を削減することができる。
【発明を実施するための最良の形態】
【００２３】
本発明に係るデータ管理システム及びデータ更新方法の実施の形態として、当該データ管理システムとして構成されたナビゲーション装置、及び、そのナビゲーション装置により実行されるデータ更新方法について、図面に基づいて説明する。
【００２４】
図１に示すナビゲーション装置１は、公知の如く車両に搭載され、ＣＰＵ等からなる制御部３により入力されたデータに対して種々の処理を行うための各種機能部が、ハードウエア又はソフトウエア（プログラム）或いはその両方により実装されて構成されている。
【００２５】
また、ナビゲーション装置１には、地図に関する地図データや地点情報に関する情報データ等を記憶したハードディスク等の書き替え可能な記憶媒体２が内蔵されており、この記憶媒体２は、ハードディスクドライブのようにそれを駆動する駆動手段と共にハードウエア構成として構成されている。
【００２６】
上記ナビゲーション装置１は、記憶媒体２から読み出した地図データを、適宜ＧＰＳ受信機５などにより検出した自車位置と合わせてモニタ４に表示して、目的地までの最適進路案内を行うように構成されており、そのような最適進路案内を行うための構成について、以下に説明を加える。
【００２７】
上記ナビゲーション装置１には、ＧＰＳ（Global Positioning System）衛星からのＧＰＳ信号を受信するＧＰＳ受信機５が設けられている。このＧＰＳ信号は、通常１秒おきに受信され、制御部３へ出力される。制御部３では、ＧＰＳ受信機５で受信されたＧＰＳ衛星からの信号を解析し、自車の位置（緯度及び経度）、進行方位、移動速度等の情報を取得することができる。
【００２８】
また、上記ナビゲーション装置１には、車両の進行方位又はその進行方位の変化を検出する方位センサ６が設けられている。この方位センサ６は、例えば、ジャイロセンサ、地磁気センサ、ハンドルの回転部に取り付けた光学的な回転センサや回転型の抵抗ボリューム、車輪部に取り付ける角度センサ等により構成される。そして、方位センサ６は、その検出結果を制御部３へ出力する。
【００２９】
また、上記ナビゲーション装置１には、車両の移動距離や車速を検出する距離センサ７が設けられている。この距離センサ７は、例えば、車両のドライブシャフトやホイール等が一定量回転する毎にパルス信号を出力する車速パルスセンサ、車両の加速度を検知するヨー・Ｇセンサ及び検知された加速度を２回積分する回路等により構成される。そして、距離センサ７は、その検出結果を制御部３へ出力する。
【００３０】
そして、上記ナビゲーション装置１の制御部３は、記憶媒体２から自車位置周辺の地図情報に関する地図データを取得し、その地図データと、上記特定した車両の現在位置とに基づいて、車両の進路案内のための各種演算処理を行い、モニタ４等に対する制御命令を出力する。そして、上記制御部３は、上記地図データに基づいて生成される地図画像上に、車両の現在位置を示す画像を重ねてモニタ４に表示する。また、車両の進行方向の地図情報に関する地図データに含まれる道路形状等と、現在位置とに基づいて、正確なタイミングで進路案内のための運転者への報知を、モニタ４等を用いて行う。
【００３１】
上記ナビゲーション装置１は、記憶媒体２から検索した地点情報に関する情報データをモニタ４に表示して、地点情報の検索案内を行うように構成されており、その地点情報の検索案内を行うための構成について、以下に説明を加える。
【００３２】
上記記憶媒体２には、図２に示すように、複数の地点情報に関する複数の情報データが、情報データフレームに記憶されていると共に、当該情報データを特定するための該当データが、地点の名称を５０音で示した読みカナの検索キーにより絞り込まれるカテゴリ毎に該当データフレームに記憶されている。
【００３３】
即ち、上記情報データフレームには、地点毎のレコード単位の情報データの並びが記憶されており、この情報データには、レコードの大きさを示すレコードサイズやそのレコードで不変のパーマネントＩＤの他、その地点の名称及び上記検索キーである読みカナ、及び、その地点の住所や電話番号等の地点についての各種情報が含まれている。
【００３４】
一方、上記該当データフレームには、地点毎のレコード単位の該当データの並びが、後述するカテゴリ毎に記憶されており、この該当データには、レコードの大きさを示すレコードサイズやそのレコードで不変のパーマネントＩＤの他、その地点の名称及び上記検索キーである読みカナ、及び、情報データを特定するための情報データへのオフセット等の各種情報が含まれている。
【００３５】
更に、上記記憶媒体２は、上記該当データフレームにおけるカテゴリを定義するためのカテゴリフレームを有している。即ち、そのカテゴリフレームには、５０音を複数段において階層化して示した５０音検索キーの階層構造が記憶されており、その夫々の階層の各段が一のカテゴリに相当することで、カテゴリが階層構造を有することになる。
【００３６】
そして、上記制御部３は、地点情報の読みカナである検索キーによる検索案内を行うにあたり、利用者がタッチパネル式のモニタ４等の所定の操作部において読みカナを入力することで、カテゴリフレームに記憶されたカテゴリの階層構造を参照して、入力された読みカナによりカテゴリを絞り込み、該当データフレームから当該絞り込んだカテゴリに属する該当データを抽出して、その抽出した該当データに含まれる地点の名称等をモニタ４に表示する。
【００３７】
更に、上記制御部３は、利用者が上記表示された地点の名称をタッチパネル式のモニタ４において選択することで、その選択された地点の名称に対応する該当データに含まれる情報データへのオフセットを参照して、情報データフレームからその地点の名称に対応する情報データを抽出し、その抽出した情報データに含まれる地点の詳細情報やその地点の地図データ等をモニタ４に表示する。
【００３８】
更に、ナビゲーション装置１は、後述する配信サーバ２０からインターネット等の所定の通信回線Ｉを介して所定のファイルを受信可能な通信部１０を備えている。そして、この通信部１０は、詳細については後述するが、記憶媒体２に記憶されている該当データ及び情報データを更新するための更新用ファイルの入力を、上記配信サーバ２０から通信回線Ｉを介して受信する形態で受け付ける更新用ファイル入力手段として機能する。
【００３９】
上記配信サーバ２０は、ナビゲーション装置１の販売を行うメーカ側などに設置され、ナビゲーション装置１の記憶媒体２に記憶させる最新の情報データを記憶した情報データフレームを、ハードディスク等の記憶装置３０に格納して管理するコンピュータからなる。そして、この配信サーバ２０は、記憶装置３０において更新された最新の情報データを含む情報データフレームを抽出し、通信回線Ｉを介してアクセスしたナビゲーション装置１に対して、当該抽出した情報データフレームを含むファイルを更新用ファイルとして送信するように構成されている。
【００４０】
更に、ナビゲーション装置１の制御部３は、上記通信部１０で受信した更新用ファイルを用いて、記憶媒体２に対して、所望のデータの読み書きを行って、記憶媒体２に記憶されるデータを更新する更新手段として、情報データを更新する情報データ更新手段８、及び、該当データを更新する該当データ更新手段９として機能するように構成されている。
【００４１】
以下、これら更新手段としての情報データ更新手段８及び該当データ更新手段９の詳細構成について、これら各種手段により実行されるデータ更新方法のフローと共に、図３及び図４に基づいて説明する。
尚、図３は、データ更新方法の処理フロー図であり、図４は、記憶媒体での更新用ファイルによる更新の流れを説明する図である。
【００４２】
ナビゲーション装置１は、上記通信部１０により受信する形態で更新用ファイルの入力を受け付ける更新用ファイル入力ステップ（ステップ＃１）を実行するのに伴って、データ更新方法の実行を開始する。
ここで、この通信部１０に受信される更新用ファイルは、記憶媒体２に記憶させるべき最新の情報データである更新用情報データを記憶した情報データフレーム全体を含むファイルであり、最新の該当データは含まないために、比較的容量が小さいものとなっている。
【００４３】
次に、上記情報データ更新手段８は、記憶媒体２の情報データフレームから更新対象の情報データを抽出（ステップ＃２）すると共に、当該抽出した情報データを上記更新用ファイルが有する更新用情報データにより更新（ステップ＃３）する情報データ更新ステップを実行するように構成されている。
詳しくは、上記情報データ更新ステップにおいては、図４の矢印Ａに示すように、記憶媒体２から、更新用ファイルに含まれる情報データフレームに該当する情報データフレーム全体の情報データを更新対象として抽出する。そして、図４の矢印ａに示すように、その更新対象の情報データと更新用ファイルが有する更新用情報データとを比較し、更新対象の情報データにおいて、上記更新用ファイルが有する更新用情報データとは異なるフィールド（図４においては、「表示地図尺度」、「建物階数」、「種別コード」がそれに該当する。）を、当該更新用情報データの対応するフィールドで書き替える形態で、情報データを更新する。
【００４４】
次に、上記該当データ更新手段９は、記憶媒体２の該当データフレームから上記更新対象の情報データが有する検索キーにより絞り込まれるカテゴリに属する該当データを抽出（ステップ＃４）すると共に、当該抽出した該当データを上記更新用ファイルが有する更新用情報データにより更新（ステップ＃５）する該当データ更新ステップを実行するように構成されている。
詳しくは、上記該当データ更新ステップにおいては、図４の矢印Ｂで示すように、上記情報データ更新手段により更新した更新対象の情報データに含まれる検索キー、即ち地点の名称の読み（例えば「アイウエオ」）を参照し、カテゴリフレームにおいて参照した検索キーにより絞り込まれるカテゴリに属する該当データを、更新対象として、該当データフレームから抽出する。そして、図４の矢印ｂに示すように、その更新対象の該当データと更新用ファイルが有する更新用情報データとを比較し、更新対象の該当データにおいて、上記更新用ファイルが有する更新用情報データとは異なるフィールド（図４においては、「種別コード」がそれに該当する。）を、当該更新用情報データの対応するフィールドで書き替える形態で、該当データを更新する。
【００４５】
以上のようなデータ更新方法により、上記更新用ファイルとして、上記該当データを更新するためのデータを含まず、上記情報データを更新するための更新用情報データのみを含む比較的容量が小さいファイルを利用して、記憶媒体２に記憶されている該当データ及び情報データの両方を更新することができ、例えば、更新用ファイル入力手段１０における当該更新用ファイルの入力のための通信量やメモリ容量を削減して、当該データ更新方法を実行するのに必要な更新時間を削減することができる。
【００４６】
〔別実施形態〕
（１）上記実施の形態では、該当データ更新手段９が、該当データ更新ステップを実行するにあたり、情報データが有する地点の名称の読みカナである検索キーを利用して、更新対象の該当データが属するカテゴリを絞り込んだが、別に、この更新対象の該当データが属するカテゴリを絞り込むための検索キーを、上記読みカナではなく、例えば、地点の電話番号や地点の住所等のように、情報データに含まれる他の情報を検索キーとして利用することができる。
【００４７】
尚、上記更新対象の該当データが属するカテゴリを絞り込むための検索キーを、地点の電話番号とする場合のデータ更新方法は、以下のようになる。
即ち、図５に示すように、上記実施の形態で説明した情報データ更新ステップと同様に、図５の矢印Ａに示すように、記憶媒体２から更新対象の情報データを抽出し、図５の矢印ａに示すように、その更新対象の情報データおいて更新用ファイルが有する更新用情報データとは異なるフィールド（図５においては、「表示地図尺度」、「建物階数」、「種別コード」がそれに該当する。）を、当該更新用情報データの対応するフィールドで書き替える形態で、情報データを更新する。そして、上記該当データ更新ステップにおいては、図５の矢印Ｂで示すように、上記情報データ更新手段により更新した更新対象の情報データに含まれる検索キー、即ち地点の電話番号（例えば「０１２３４Ｆ６７８９」、尚、６桁目の「Ｆ」は地点の電話番号が９桁の場合の無効値である。）を参照し、カテゴリフレームにおいて参照した検索キーにより絞り込まれるカテゴリに属する該当データを、更新対象として、該当データフレームから抽出し、その更新対象の該当データにおいて、上記更新用ファイルが有する更新用情報データとは異なるフィールド（図５においては、「種別コード」がそれに該当する。）を、当該更新用情報データの対応するフィールドで書き替える形態で、該当データを更新する。
【００４８】
また、上記更新対象の該当データが属するカテゴリを絞り込むための検索キーを、地点の住所とする場合のデータ更新方法は、以下のようになる。
即ち、図６に示すように、上記実施の形態で説明した情報データ更新ステップと同様に、図６の矢印Ａに示すように、記憶媒体２から更新対象の情報データを抽出し、図６の矢印ａに示すように、その更新対象の情報データおいて更新用ファイルが有する更新用情報データとは異なるフィールド（図６においては、「表示地図尺度」、「建物階数」、「種別コード」がそれに該当する。）を、当該更新用情報データの対応するフィールドで書き替える形態で、情報データを更新する。そして、上記該当データ更新ステップにおいては、図６の矢印Ｂで示すように、上記情報データ更新手段により更新した更新対象の情報データに含まれる検索キー、即ち地点の住所（例えば「○県△市□町×番◎号」）を参照し、カテゴリフレームにおいて参照した検索キーにより絞り込まれるカテゴリに属する該当データを、更新対象として、該当データフレームから抽出し、その更新対象の該当データにおいて、上記更新用ファイルが有する更新用情報データとは異なるフィールド（図６においては、「種別コード」がそれに該当する。）を、当該更新用情報データの対応するフィールドで書き替える形態で、該当データを更新する。
【００４９】
（２）上記実施の形態では、検索キーのカテゴリを階層構造を有するものとして構成したが、別に、カテゴリを階層構造ではなく、例えば、一の検索キーに対して一のカテゴリが定義されたものとしても構わない。
【００５０】
（３）上記実施の形態では、更新用ファイル入力手段を、更新用ファイルの入力を配信サーバ２０から通信回線Ｉを介して受信する通信部１０で構成したが、別に、この更新用ファイル入力手段を、配信サーバからＵＳＢなど通信線を介して直接更新用ファイルを入力するように構成したり、配信サーバから更新用ファイルをダウンロードした携帯電話やメディアからＵＳＢなど通信線を介して更新用ファイルを入力するなどのように、適宜改変しても構わない。
【００５１】
（４）上記実施の形態では、本発明に係るデータ管理システムを、記憶媒体２に情報データとして地点情報に関するデータを記憶したナビゲーション装置１に適用したが、地点検索データベース、地図データベース等の検索機能を有する各種データベースの管理システム等の別の形態のシステムに適用しても構わない。
【産業上の利用可能性】
【００５２】
本発明に係るデータ管理システム及びデータ更新方法は、例えばナビゲーション装置のように、記憶媒体に記憶された該当データ及び情報データを更新するにあたり、更新に用いる更新用ファイルの容量をできるだけ小さくできるものとして有効に利用可能である。
【図面の簡単な説明】
【００５３】
【図１】実施形態におけるナビゲーション装置の概略構成図
【図２】実施形態における記憶媒体でのデータ構造及び情報の検索案内の流れを示す図
【図３】実施形態におけるデータ更新方法の処理フロー図
【図４】実施形態における記憶媒体での更新用ファイルによる更新の流れを説明する図
【図５】別実施形態における記憶媒体での更新用ファイルによる更新の流れを説明する図
【図６】別実施形態における記憶媒体での更新用ファイルによる更新の流れを説明する図
【図７】従来のデータ更新方法の処理フロー図
【図８】従来の記憶媒体での更新用ファイルによる更新の流れを説明する図
【符号の説明】
【００５４】
１：ナビゲーション装置（データ管理システム）
２：記憶媒体
３：制御部
８：情報データ更新手段
９：該当データ更新手段
１０：通信部（更新用ファイル入力手段）
２０：配信サーバ
【図１】
2008059045.tif 000003
【図２】
2008059045.tif 000004
【図３】
2008059045.tif 000005
【図４】
2008059045.tif 000006
【図５】
2008059045.tif 000007
【図６】
2008059045.tif 000008
【図７】
2008059045.tif 000009
【図８】
2008059045.tif 000010